(57)【要約】  【課題】  疑似餌を使用した場合に、これまで以上に当たりの数を大きくし、しかも、食わした魚をばらしてしまう虞も少ない釣具の仕掛けおよび、この仕掛けに使用される抵抗体を提供する。  【解決手段】  外周面が球面状に形成された、例えば、合成樹脂製の円盤に貫通孔４を形成し、この貫通孔４を介して前記円盤４をハリス６の途中に配置したことを特徴とする。【選択図】図２
2005198511.tif 000002
【特許請求の範囲】
【請求項１】
外周面が略球面状に形成された円盤に貫通孔を形成し、この貫通孔を介して前記円盤をハリスの途中に配置したことを特徴とする釣具の仕掛け。
【請求項２】
前記円盤は、釣り針側に球面状に膨出した外周面を、竿先側に球面状に凹んだ内周面を配置するとともに、前記ハリスの釣り針側に設けられた止め具により、前記円盤は前記釣り針側へのそれ以上の接近が制限され、竿先側へは移動可能であることを特徴とする請求項１に記載の釣具の仕掛け。
【請求項３】
前記円盤の直径は、前記釣り針のＵ字状部分の直径に対して０．８〜１．５倍の大きさであることを特徴とする請求項１または２に記載の釣具の仕掛け。
【請求項４】
前記円盤の厚さは、０．３〜２．０ｍｍの範囲であることを特徴とする請求項１〜３のいずれかに記載の釣具の仕掛け。
【請求項５】
前記円盤は、無色透明あるいは半透明さらには適宜な色に着色されていることを特徴とする請求項１〜４のいずれかに記載の釣具の仕掛け。
【請求項６】
前記釣り針は、フライフッシング用の毛鉤であることを特徴とする請求項１に記載の釣具の仕掛け。
【請求項７】
前記釣り針は、サビキ仕掛けの枝糸に設けられた疑似餌付きの釣り針であることを特徴とする請求項１に記載の釣具の仕掛け。
【請求項８】
前記釣り針は、サビキ仕掛けの枝糸に設けられた釣り針であることを特徴とする請求項１に記載の釣具の仕掛け。
【請求項９】
前記ハリスの途中に設けられる止め具は、当該ハリスと同質のラインを用いて、ハリスの外径に比して少し大きな内径のリング状の結び目、あるいは木綿糸など前記ハリスとは異なる材質の糸を用いた結び目あるいは円筒状チューブのいずれかであることを特徴とする請求項２に記載の釣具の仕掛け。
【請求項１０】
前記ハリスには、ヨリモドシなどの接続具が具備されていることを特徴とする請求項１、２、６、９のいずれかに記載の釣具の仕掛け。
【請求項１１】
外周面が球面状に形成された皿状の円盤に貫通孔を形成し、この貫通孔に直接釣り針を通すことにより、前記円盤と前記釣り針とを一体的に構成することを特徴とする釣具の仕掛け。
【請求項１２】
前記釣り針は、フライフッシング用の毛鉤であることを特徴とする請求項１１に記載の釣具の仕掛け。
【請求項１３】
外周面が略球面状に形成された円盤に、ラインを通すための貫通孔が少なくとも１つ形成されていることを特徴とする釣具の仕掛けに使用される抵抗体。
【請求項１４】
前記円盤の直径は、５〜２０ｍｍの範囲であることを特徴とする請求項１３に記載の抵抗体。
【請求項１５】
前記円盤の厚さは、０．３〜２．０ｍｍの範囲であることを特徴とする請求項１３また
は１４に記載の抵抗体。
【請求項１６】
前記円盤は、合成樹脂により形成されていることを特徴とする請求項１３〜１５のいずれかに記載の抵抗体。
【請求項１７】
前記円盤は、金属により形成されていることを特徴とする請求項１３〜１５のいずれかに記載の抵抗体。
【発明の詳細な説明】
【技術分野】
【０００１】
本発明は、釣具の仕掛け、およびこの釣具の仕掛けに使用される抵抗体に関するもので、詳しくは、ルアーフィッシングのように疑似餌を使用して魚を釣るのに好適な釣具の仕掛け、およびこの釣具の仕掛けに使用される抵抗体に関する。
【背景技術】
【０００２】
近年、海や川、管理釣り場などにおいて、ルアーを用いた釣りが盛んに行われている（例えば、特許文献１）。
【０００３】
ルアー仕掛けの釣りは、誰でも簡単にすぐに釣りを行うことができるとともに、生餌を使用した場合のように、餌を付け替えたりする手間を必要としないことから、ファッション感覚で若者の間で好評を博している。
【０００４】
このような仕掛けにより手ごろに楽しめる釣りの対象魚としては、例えば、ブラックバス、マス、シーバスなどがある。また、従来から、アジやサバ、イワシといった魚も、疑似餌の一種であるサビキ仕掛けで釣られているため、広義の意味では、サビキ仕掛けもルアー釣りの一種といえる。
【０００５】
また、最近では、遊び心も兼ねて、本来の仕掛けとは異なる新しい仕掛けを用いて、他の対象魚を釣ることも行われている。
【０００６】
例えば、これまで、河川でマスなどを釣るのに使用されていたフライフィッシングは、原始的な扱いで直接魚を釣り上げる感があることから釣り人に人気があり、この仕掛けを用いて別の魚、例えば、沖合いの橋桁近辺などでシーバスを釣る場合にも使用されている。
【０００７】
このような仕掛けを用いる場合は、特に、毛鉤や、疑似餌がいかに良い動きをするかが釣果に大きく関係してくる。例えば、何人もが同じ場所で同じような仕方で釣りをしている場合であっても、針先の動き次第で、当たりや釣果に大きな違いがでてくる。
【０００８】
また、サビキ仕掛けで釣りを行う場合には、通常は、こませかごからこぼれでたアミエビで魚を呼び寄せるため、針先の動きに関しては、十分な配慮がなされていないのが現状である。
【０００９】
それで、今日では、フライフィシングやサビキ釣りなどでは、釣り人のしゃくりの勘に頼る部分が大きかった。
【特許文献１】特開２０００−１２５７０１号公報
【発明の開示】
【発明が解決しようとする課題】
【００１０】
本発明は、特に、疑似餌を使用した場合に、これまで以上に当たりの数を大きくし、しかも、食わした魚をばらしてしまう虞も少ない釣具の仕掛けおよび、この仕掛けに使用される抵抗体を提供することを目的としている。
【課題を解決するための手段】
【００１１】
本発明者は、この目的を達成するために、誠意研究した結果、以下のような仕掛けと、これに使用される抵抗体を完成するに至った。
【００１２】
すなわち、本発明に係る釣り仕掛けは、外周面が略球面状に形成された円盤に貫通孔を形成し、この貫通孔を介して前記円盤をハリスの途中に配置したことを特徴としている。
【００１３】
係る構成による本発明によれば、例えば、リールを巻いて針先を上げてきた場合に、円盤が水の抵抗体となって振動し、その振動がハリスの下方部分に微妙な変化を与えることになる。これにより、毛鉤などがあたかも生きた餌であるかのような動きをして魚を呼び寄せることが確認された。
【００１４】
ここで、前記円盤は、釣り針側に球面状に膨出した外周面を、竿先側に球面状に凹んだ内周面を配置するとともに、前記ハリスの釣り針側に設けられた止め具により、前記円盤は前記釣り針側へのそれ以上の接近が制限され、竿先側へは移動可能であることが好ましい。
【００１５】
このような向きで円盤を取り付ければ、ハリスの先の疑似餌の部分が一層好ましい動きをすることが確認された。
【００１６】
また、前記円盤の直径は、前記釣り針のＵ字状部分の直径に対して０．８〜１．５倍の大きさであることが好ましい。
【００１７】
さらに、前記円盤の厚さは、０．３〜２．０ｍｍの範囲であることが好ましい。円盤がこのような径および直径であれば、例えば、竿で遠投する場合であっても、抵抗体が邪魔になることもない。
【００１８】
さらに、前記円盤は、無色透明あるいは半透明さらには適宜な色に着色されていることが好ましい。
【００１９】
このように、抵抗体となる円盤が無色透明あるいは半透明であれば、魚に警戒心を与えることもなく、単に振動を与えるという点で効果があり、これにより、仕掛けの回りに魚を寄せつけることができる。さらに、適宜な色に着色すれば、潮の上げ下げ、濁り具合、朝夕の時間帯など、釣るときの環境に合わせて適宜な色を選択することができる。
【００２０】
また、前記釣り針は、フライフッシング用の毛鉤であっても良い。
【００２１】
このような構成であれば、フライフィッシングを海釣りとして楽しむことができ、釣りのバリエーションを広げることができる。
【００２２】
さらに、前記釣り針は、サビキ仕掛けの枝糸に設けられた疑似餌付きの釣り針で
あっても良い。また、勿論、この釣り針は、疑似餌無しの釣り針だけのものであっても良い。
【００２３】
このように、本発明をサビキ仕掛けに適用すれば、個々の針先がこれまでと異なる動きをするので、良い釣果を上げることができる。
【００２４】
さらに、前記ハリスの途中に設けられる止め具は、当該ハリスと同質のラインを用いて、ハリスの外径に比して少し大きな内径のリング状の結び目、あるいは木綿糸など前記ハリスとは異なる材質の糸を用いた結び目あるいは円筒状チューブのいずれかであっても良い。
【００２５】
また、前記ハリスには、ヨリモドシなどの接続具が具備されていても良い。
【００２６】
このように本発明に係る釣りの仕掛けは、細部に関しては、種々の変更が可能であり、特に限定されるものではない。
【００２７】
さらに、本発明では、外周面が球面状に形成された皿状の円盤に貫通孔を形成し、この貫通孔に直接、釣り針を通すことにより、前記円盤と前記釣り針とを一体的に構成することもできる。
【００２８】
また、前記釣り針は、フライフッシング用の毛鉤であっても良い。
【００２９】
このような仕掛けであれば、抵抗体に近づいた魚を釣リ上げるのに好適である。
【００３０】
さらに、本発明に係る釣具の仕掛けに使用される抵抗体は、外周面が略球面状に形成された円盤に、ラインを通すための貫通孔が少なくとも１つ形成されていることを特徴としている。
【００３１】
さらに、本発明に係る抵抗体では、前記円盤の直径は、５〜２０ｍｍの範囲であることが好ましい。
【００３２】
また、前記円盤の厚さは、０．３〜２．０ｍｍの範囲であることが好ましい。
【００３３】
さらに、前記円盤は、合成樹脂または金属から形成されていても良い。
【００３４】
このような抵抗体を複数個、用意しておけば、必要に応じて適宜なものを選択して使用することができる。よって、川や海、あるいは管理釣り場などにおいて、様々な仕掛けを作成し、釣りを楽しめることができる。
【発明の効果】
【００３５】
本発明に係る釣具の仕掛けによれば、これまでになかった動きを疑似餌、擬餌針などに与えることができる。したがって、特に、釣り人が竿やリールを操作して針の部分をしゃくり上げる場合に、仕掛けの部分に繊細な動きを与えて魚をおびき寄せ、食いを誘うのに有効である。また、ラインの途中に止め具を用いることにより、例えば、合成樹脂製の円盤が必要以上に、針先に近づくことが防止されるので、魚が針を食いつく場合に、針の部分をきちんと飲み込ますことができる。よって、当たりがあった場合にばれるのを防止することができる。
【００３６】
また、円盤を適宜な色に着色することにより、潮の動き、時間帯、水の濁り具合など応じて、適宜な色を選択することができる。
【００３７】
また、サビキ仕掛けに採用した場合には、疑似餌が生餌のようなアクションを起こすので、釣果に良い影響を与えることができる。
【００３８】
また、例えば、円盤を針に直接取り付けた場合には、この円盤が微妙な動きを行うとともに、この円盤が疑似餌のような役目を成すので釣果を上げることが期待できる。
【発明を実施するための最良の形態】
【００３９】
以下、図面を参照しながら本発明の好ましい実施態様について説明する。
【００４０】
図１（Ａ）、（Ｂ）は、本発明の釣具の仕掛けに使用される抵抗体を示したもので、図２はこの抵抗体２を使用した仕掛けの一例を示したものである。
【００４１】
この抵抗体２は、例えば、合成樹脂から形成されたもので、平板状の成形体をポンチ等で打ち抜くことにより、円盤状に形成されている。
【００４２】
また、この抵抗体２は、ポンチ等で打ち抜く際に加えられた力により、外周面が球面状に一方に膨出するように変形されている。したがって、この抵抗体２は、コンタクトレンズのように片側が湾曲して形成されている。そして、この抵抗体２は、ハリス６に対して、図１（Ｂ）の姿勢で装着される。すなわち、図１（Ｂ）の上方が竿側であるとした場合に、竿先側に球面状に凹んだ面周面が配置され、抵抗体２の球面状に膨出した外周面が下方の釣り針側に向けられる。
【００４３】
この抵抗体２は、中央部に小さな貫通孔４が形成されている。この貫通孔４は、ハリス６を通すための孔であり、目視でハリス６を通せる程度の大きさに形成されていることが好ましい。また、この貫通孔４が、あまりに大きいと、下方に設けた止め具８をすり抜けてしまうため、適宜な大きさであることが好ましい。
【００４４】
止め具８は、ハリス６あるいは道糸などと同質のラインを使用してもよく、あるいは木綿糸など全く異なる材質の糸を結んで形成しても良い。要は、抵抗体２の移動をこの止め具８で阻止できれば良い。本実施例では、木綿糸をここに結びつけて止め具８を構成している。
【００４５】
この抵抗体２は、例えば６ナイロンから形成され、適宜な剛性を有している。抵抗体２の厚さＴは、０．３〜２．０ｍｍの範囲であることが好ましい。また、抵抗体２の直径Ｙは、図２に示した釣り針１０のＵ字状部分の直径Ｓに対して０．８〜１．５倍程度の大きさであることが好ましい。なお、この抵抗体２は、真円である必要はなく、若干ゆがんだ円であっても良い。また、真円であっても良いが、貫通孔４は若干、偏心した位置に形成されていることが好ましい。このように抵抗体２そのものあるいは貫通孔４が偏心した位置に形成されていれば、抵抗体２が微妙は動きをするのを助けることができる。このような目的のため、若干の切り込みなどを設けることもできる。
【００４６】
また、抵抗体２の厚さＴおよび直径Ｙがこのような範囲に設定されていれば、仕掛けを遠くに飛ばしたい場合などに、空気の抵抗も少なくので、使い勝手がよい。また、このような大きさであれば、道糸を引き上げてくる場合に、仕掛けそのものに、好ましい振動を付与することができる。
【００４７】
図２は、上記抵抗体２を利用した仕掛けの一例を示したもので、特に、フライフィッシングのフライラインに接続される仕掛け２０を示したものである。
【００４８】
この仕掛け２０は、ハリス６の先端に接続具としてスイベル２２が取り付けられている。また、このスイベル２２の下端に、フライフィッシング用の毛鉤２４が着脱自在に取り付けられている。
【００４９】
一方、抵抗体２は、止め具８がハリス６の途中に具備されることにより、止め具８から下方に向って移動することはない。この止め具８を設ける位置は、特に限定されるものではないが、釣り針１０の全体の長さをＸとしたとき、この長さＸと同程度上方に配置されていることが好ましい。このような長さだけ釣り針１０から離れていれば、魚が間違って食ってくることを防止することができる。
【００５０】
スイベル２２などの接続具は、実施例のように着脱がワンタッチでなくても良く、通常のヨリモドシなどを用いることもできる。
【００５１】
本実施例の釣りの仕掛け２０は、上記のように構成されている。そして、フライラインとともに、遠くに投げ入れれば、フライラインの自重によりゆっくりと沈ませることができ、途中でしゃくりを入れれば、抵抗体２が水の中で好ましい抵抗となって、その振動が下方の毛鉤２４に伝達され、これにより、これまでの毛鉤とは異なった動きを針先などに与えることが確認された。また、実際にこの仕掛けでシ−バスを釣りに何度も出かけた結果、同じ釣り場でも何倍もの当たりの違いがでることが確認され、また、当たりが多いのは勿論のこと、ばらしが少なくなることも確認された。
【００５２】
以上、本発明の一実施例について説明したが、本発明は、上記実施例に何ら限定されない。
【００５３】
例えば、上記実施例では、シーバスを釣るための仕掛けに適用したが、これに変え、マスを釣るための仕掛けにも適用可能である。その場合には、釣り針１０の大きさをこれより小さくし、これに対応して抵抗体２も小さいものを使用すればよい。また、毛鉤２４に代えて、軽い重さのものであれば、ワームや、メタルジグ、スプーンなどとともに使用することもできる。
【００５４】
図３は、サビキ仕掛け４０に本発明に係る抵抗体２を適用した例を示したものである。
【００５５】
このサビキ仕掛け４０の場合は、ハリス２８から枝分かれされた枝糸２６の途中に抵抗体２を取り付けている。この場合、抵抗体２の大きさは、勿論、釣り針３８の大きさに合わせて、より小さいものが使用される。
【００５６】
また、枝糸２６の下方には、からみ防止用のビニール製のチューブ３６などが介装され、このチューブ３６が、上記した止め具８の代わりに使用されている。またチューブ３６に代えて、蛍光玉などを設けることもできる。
【００５７】
サビキ仕掛け４０の場合、枝糸２６の先端に設置される釣り針３８は、図示したように、例えば、サバのスキン３９に似せた擬餌針であっても良い。また釣り針３８は、単なる釣り針だけのものであっても良い。
【００５８】
図４は、さらに他の実施例を示したものである。
【００５９】
この実施例では、長円形の抵抗体２を用いて、この抵抗体２に、直接釣り針４２を取り付けたものを示している。この抵抗体２に直接取り付けられる釣り針４２としては、図２に示したような毛鉤であっても良く、あるいは疑似餌のない単なる釣り針であっても良い。また、抵抗体２は、貫通孔４の他に他の孔４４を設けることもできる。
【００６０】
図４に示したように、抵抗体２を直接釣り針４２に取り付けたものでは、この抵抗体２の存在に視覚的に気づいた魚がこの抵抗体２の動きをめがけて食ってくることもあれば、針先の動きに引かれて食ってくることもある。また、この実施例のように、抵抗体２が大きい場合には、他にも孔４４を設ければ、この孔４４を介して、巻き上げる場合に水が逃げることになるので、その分抵抗を少なくすることができる。
【００６１】
さらに、上記の抵抗体２は、カレイを釣る場合のように、天秤仕掛けのハリスに設けることもできる。このように、本実施例の抵抗体２は、様々な仕掛けに使用することができ、場合によっては、生餌とともに用いても良い。
【００６２】
また、本発明はフライフィッシングを海釣り用として適用させるのに好適であるが、通
常の河川でフライフィッシングを行う場合にも適用可能である。
【００６３】
また、上記実施例では、錘との関係は、図示されていないが、軽いものであればいろいろな錘を使用することができる。
【００６４】
また、上記実施例では、抵抗体２が合成樹脂から形成されているが、これに代え、アルミやステンレスなどの金属から形成されていても良い。しかしながら、合成樹脂製であれば、製造、取り扱いが容易であり、着色することも容易であることから実際的である。
【図面の簡単な説明】
【００６５】
【図１】図１（Ａ）は本発明の一実施例に掛かる抵抗体の斜視図、図１（Ｂ）はその側面図である。
【図２】図２は図１に示した抵抗体を使用した仕掛けの一例を示したもので、特に、フライフィッシングに使用される仕掛けを示した図である。
【図３】図３はサビキ仕掛けに適用した場合の例を示した図である。
【図４】図４は図１に示した抵抗体を直接釣り針に取り付けた例を示した図である。
【符号の説明】
【００６６】
２       抵抗体
４       貫通孔
６       ハリス
８       止め具
１０     針
２       抵抗体
２２     スイベル
２４     毛鉤
２６     枝糸
２８     ハリス
３３     チューブ
３６     針
３８     針
【図１】
2005198511.tif 000003
【図２】
2005198511.tif 000004
【図３】
2005198511.tif 000005
【図４】
2005198511.tif 000006